(57)【要約】【課題】信号出力のオン、オフを切り替えるスイッチを備えながら大型化を回避し、電磁波シールド効果を高めたバウンダリーマイクロホンを得る。【解決手段】マイクロホンケース１と、マイクロホンケース１の一端側に取り付けられているマイクロホンユニット２と、マイクロホンケース１の一端側にマイクロホンユニット２を覆いかつマイクロホンケース１に対し相対移動可能に取り付けられている前カバー５と、マイクロホンケース１に対する前カバー５の相対移動で作動しマイクロホンユニット２の出力信号をオン、オフするスイッチ７と、を備えている。【選択図】図１
2014138288.tif 000002
【特許請求の範囲】
【請求項１】
マイクロホンケースと、
上記マイクロホンケースの一端側に取り付けられているマイクロホンユニットと、
上記マイクロホンケースの一端側に上記マイクロホンユニットを覆いかつ上記マイクロホンケースに対し相対移動可能に取り付けられている前カバーと、
上記マイクロホンケースに対する上記前カバーの相対移動で作動し上記マイクロホンユニットの出力信号をオン、オフするスイッチと、
を備えているマイクロホン。
【請求項２】
上記前カバーと上記マイクロホンケースとの間に導電性クッション材が介在している請求項１記載のマイクロホン。
【請求項３】
前カバーは、導電性クッション材の弾性力に抗して押圧されることによりマイクロホンケースに対し相対移動可能である請求項２記載のマイクロホン。
【請求項４】
前カバーと導電性クッション材との間に導電リングが介在している請求項２または３記載のマイクロホン。
【請求項５】
導電リングとスイッチは、上記導電リングの移動によって上記スイッチが作動するように位置関係が設定されている請求項４記載のマイクロホン。
【請求項６】
出力信号のオン、オフによって動作が切り替わる発光素子を有する請求項１乃至５のいずれかに記載のマイクロホン。
【請求項７】
前カバーの外周に沿って円弧状に形成されたライトリングが、発光素子に重ねて配置されている請求項６記載のマイクロホン。
【請求項８】
ライトリングは、円弧の一部が切除されてＣ字状に形成され、上記切除された部分にスイッチが配置されている請求項７記載のマイクロホン。
【請求項９】
マイクロホンケースは一端側にフランジを有し、上記フランジに導電性クッション材および発光素子が配置されている請求項１乃至８のいずれかに記載のマイクロホン。
【請求項１０】
前カバーは金属メッシュで製作されていて、上記金属メッシュに押圧操作板が固着されている請求項１乃至９のいずれかに記載のマイクロホン。
【請求項１１】
マイクロホンケースおよび前カバーは導電性の素材からなり、導電性クッション材を介して上記マイクロホンケースおよび前カバーが導通し、上記マイクロホンケースと導電性クッション材および前カバーでマイクロホンユニットを電磁シールドしている請求項２乃至１１のいずれかに記載のマイクロホン。
【発明の詳細な説明】
【技術分野】
【０００１】
本発明は、例えば、会議場や教室などにおいてテーブルや机などに設置する会議用マイクロホンのように、電気音響変換した音声信号をオン・オフするスイッチを備えたマイクロホンに関するものである。
【背景技術】
【０００２】
会議場や教室などにおいて、テーブルや机などの天板に、目立たないように設置して使用するマイクロホンをバウンダリーマイクロホンと称している。バウンダリーマイクロホンには、全体が扁平で上記天板上に載置して使用する形式のものと、マイクロホンの大半を上記天板に埋め込み、収音部のみを天板上に露呈させた埋め込み型がある。
【０００３】
バウンダリーマイクロホンは、会議場や教室などにおいて複数の出席者に対応することができるように複数設置され、発言する人に対応しているバウンダリーマイクロホンのみを選択してその出力信号をオンにするようになっている。また、会議システム用のグースネック型マイクロホンには、発言中であるか否かを視覚的に表示するために、発光部をマイクロホンケースに設けたものがある。上記発光部を、出力信号がオンのマイクロホンは例えば緑色に発光させ、その他のマイクロホンは例えば赤色に発光させる、というように、発光色で出力信号のオン、オフを区別するものである。
【０００４】
天板状に載置して使用する扁平形のバウンダリーマイクロホンの従来例として特許文献１記載の発明がある。特許文献１記載のバウンダリーマイクロホンは、マイクロホンユニットを組み込んだ扁平状のベースと、ベースの底部に配置された台座と、マイクロホンユニットの出力信号をオン、オフする感圧スイッチを備えたものである。上記感圧スイッチは、上記ベースと台座との間で押圧されるように少なくとも一つ配置され、バウンダリーマイクロホン本体を押すとマイクロホンが全体として沈み、上記スイッチを作動させることができる。
【０００５】
特許文献１には、マイクロホンユニットの出力信号を感圧スイッチでオン、オフすることが記載されているが、バウンダリーマイクロホンがオンかオフかを表示することに関しては記載がない。
【０００６】
次に、埋め込み型バウンダリーマイクロホンの従来例について説明する。図７において、円筒形状のマイクロホンケース１０１の上端部にはクッション材１１３の介在のもとにマイクロホンユニット１０２が取り付けられている。マイクロホンケース１０１の下端部にはマイクロホンコネクタ１１５が取り付けられている。マイクロホンケース１０１の上端はフランジ１１１になっていて、フランジ１１１に埋め込まれるようにして前カバー１０５が取り付けられている。前カバー１０５は、音波が通り抜けるように金属メッシュからなっていてボウル状に成形され、前カバー１０５の開口端が上記フランジ１１１に固着されている。前カバー１０５はマイクロホンユニット１０２を囲んでいる。
【０００７】
バウンダリーマイクロホンの大半をなすマイクロホンケース１０１は、テーブルなどの天板に埋め込まれ、マイクロホンケース１０１のフランジ１１１が上記天板上に載り、天板に固定される。天板上には前カバー１０５が露呈し、前カバー１０５を通った音波がマイクロホンユニット１０２に入って電気音響変換される。マイクロホンケース１０１内には、マイクロホン回路を組み込んだ回路基板１１４が固定されている。この従来例はマイクロホンユニット１０２の出力信号をオン、オフするスイッチを備えておらず、オン、オフの表示に関しても記載がない。図７に示す従来例とほぼ同じ構成のバウンダリーマイクロホンが特許文献２に記載されている。
【０００８】
図７および特許文献２に記載されているような埋め込み型バウンダリーマイクロホンにおいて、出力信号をオン、オフするスイッチを付加するとともに、オン、オフの表示を行うことは不可能ではない。例えば、マイクロホンケースのフランジの一部を外周側に拡大し、この拡大部分にオン、オフの切り換え操作スイッチを設けることが考えられる。また、上記操作スイッチの切り換え操作によって発光色が切り替わるＬＥＤなどの発光素子をマイクロホンケースに組み込むことが考えられる。
【０００９】
上記のように、埋め込み型バウンダリーマイクロホンに出力信号をオン、オフするスイッチを付加し、さらには、発光色が切り替わる発光素子をマイクロホンケースに組み込むと、以下のような問題が生じる。すなわち、切り替え操作スイッチを付加するために、マイクロホンケースの一部を外周側に拡大するという発想では、付加する操作スイッチの占める空間およびマイクロホンケースの占める空間が増大し、バウンダリーマイクロホンが大型化する。
【００１０】
近年のバウンダリーマイクロホンに求められる技術的課題として、電磁波に対する耐性の向上がある。近年のように携帯電話が普及すると、携帯電話がバウンダリーマイクロホンの直近に置かれ、また、バウンダリーマイクロホンの直近で携帯電話が使用されるケースが頻繁に生じる。バウンダリーマイクロホンが携帯電話から放射される電磁波に晒されている状況が日常的に生じており、電磁波がマイクロホンユニット内に進入しないように、シールド効果を高める工夫が求められている。
【００１１】
以上、従来のバウンダリーマイクロホンの概要とその技術的課題について説明したが、上記技術的課題はバウンダリーマイクロホンに限らず、あらゆる形式のマイクロホンにも共通する。
【先行技術文献】
【特許文献】
【００１２】
【特許文献１】特開２０１０−２７８９８８号公報
【特許文献２】特許第４６３８８５３号公報
【発明の概要】
【発明が解決しようとする課題】
【００１３】
本発明は、信号出力のオン、オフを切り替えるスイッチを備えながら大型化することを回避することができるマイクロホンを提供することを目的とする。
【課題を解決するための手段】
【００１４】
本発明に係るマイクロホンは、
マイクロホンケースと、
上記マイクロホンケースの一端側に取り付けられているマイクロホンユニットと、
上記マイクロホンケースの一端側に上記マイクロホンユニットを覆いかつ上記マイクロホンケースに対し相対移動可能に取り付けられている前カバーと、
上記マイクロホンケースに対する上記前カバーの相対移動で作動し上記マイクロホンユニットの出力信号をオン、オフするスイッチと、
を備えていることを最も主要な特徴とする。
【発明の効果】
【００１５】
マイクロホンケースに対し前カバーを相対移動可能として、前カバーにスイッチ操作部材としての役目を持たせたため、スイッチを備えたマイクロホンの大型化を回避することができる。
【図面の簡単な説明】
【００１６】
【図１】本発明に係るマイクロホンの実施例を示す側面断面図である。
【図２】上記実施例の正面図である。
【図３】上記実施例のスイッチ動作態様を示す側面断面図である。
【図４】上記実施例中のライトリングを示すもので、（ａ）は平面図、（ｂ）は側面図、（ｃ）は底面図、（ｄ）は（ａ）中のＡ−Ａ線に沿う断面図である。
【図５】上記実施例中のライトリングと発光素子と回路基板を拡大して示す正面図である。
【図６】上記実施例中のライトリングと発光素子と回路基板を拡大して示す平面図である。
【図７】従来のバウンダリーマイクロホンの例を示す側面断面図である。
【発明を実施するための形態】
【００１７】
以下、本発明に係るマイクロホンの実施例について図面を参照しながら説明する。図示の実施例はバウンダリーマイクロホンの実施例であるが、本発明に係るマイクロホンはバウンダリーマイクロホンに限らず、あらゆる形式のマイクロホンに適用することができる。
【実施例】
【００１８】
図１、図２において、マイクロホンケース１の上端部には、マイクロホンケース１の内周に固着されたクッション材１３の介在のもとにマイクロホンユニット２が取り付けられている。マイクロホンユニット２の電気音響変換方式は限定されないが、図示の実施例ではコンデンサマイクロホンユニットを使用している。マイクロホンケース１の下端部にはマイクロホンコネクタ１５が取り付けられている。マイクロホンケース１は導電性の素材で製作されている。
【００１９】
円筒形状のマイクロホンケース１の上端にはフランジ１１が一体に形成されている。上記フランジ１１の上面には、フランジ１１の内周寄りの位置にリング状の導電性クッション材８がフランジ１１の内周に沿って配置されている。導電性クッション材８は、クッション性と導電性を併せ持った素材からなり、本実施例においては、導電フォーム（例えば、セーレン株式会社製、Ｓｕｉ−７８−５０３０Ｔ）を用いた。
【００２０】
導電性クッション材８の上面には、導電リング９が配置され、導電リング９の上には前カバー５の下端が接している。前カバー５は金属メッシュをボウル状に成形したもので、ボウルを伏せた姿勢で配置されている。したがって、前カバー５の下端が開口端になっていて、前カバー５の上記開口端に上記導電リング９が固着されている。導電リング９と導電性クッション材８は互いに固着してもよいし、導電性クッション材８の上に導電リング９が載っているだけでもよい。前カバー５と導電性クッション材８との間に導電リング９が介在し、前カバー５と導電リング９と導電性クッション材８とマイクロホンケース１は電気的に導通している。
【００２１】
前カバー５は、マイクロホンユニット２を、マイクロホンユニット２との間に適宜の空間をおいて囲んでいる。前カバー５は、音波を通す構造になっていて、例えば金属メッシュを素材としている。導電性クッション材８は前カバー５とマイクロホンケース１との間に介在し、弾性力によって前カバー５をマイクロホンケース１から離間させる向きに付勢している。前カバー５は、導電性クッション材８の弾性力に抗して押圧されることにより、マイクロホンケース１に対し相対移動可能な構造になっている。
【００２２】
マイクロホンケース１のフランジ１１の上面には、導電性クッション材８の外側に、かつ、導電性クッション材８の外周に隣接してリング状の回路基板３が固着されている。回路基板３には発光素子が実装されている。回路基板３の上には、上記発光素子を挟んでライトリング４が配置されている。
【００２３】
図４乃至図６に示すように、ライトリング４は、前カバー５の外周に沿う円弧状に形成され、円弧の一部が切断されて平面から見た形がＣ字状になっている。実施例では、ライトリング４として、アクリル樹脂による一体成形品を用いた。Ｃ字状のライトリング４の両端下部は切除されて庇状の切除面４１が形成されている。ライトリング４の底面は、両端部から一定の距離まで平坦底面４４になっていて、切除面４１は平坦底面４４と平行に形成されている。切除面４１は鏡面仕上げされている。
【００２４】
ライトリング４の平坦底面４４が回路基板３の上面に密着して配置されている。回路基板３には、ライトリング４の両端部の各切除面４１に対応する位置にそれぞれ２個の発光素子３１，３２が発光面を上に向けて実装されている。本実施例では、発光素子３１として緑色光を発光するＬＥＤ、発光素子３２として赤色光を発光するＬＥＤを用いた。
【００２５】
ライトリング４の両端部の上面、したがって、切除面４１および発光素子３１，３２の発光面に対向する面は、約４５度の傾斜面４２になっていて、各傾斜面４２も鏡面仕上げされている。各傾斜面４２は、発光素子３１，３２から放射される光をライトリング４の内方に向かって反射させる反射面になっている。各傾斜面４２には、例えば反射シールを貼り付けるとよい。
【００２６】
ライトリング４の縦断面の上部は図４（ｄ）に示すように半円状になっていて、この半円状の上面４３はブラスト処理によって荒らされて光拡散面となっている。ライトリング４の底面もブラスト処理によって荒らされて光拡散面となっている。
【００２７】
発光素子３１，３２から放射される光は、ライトリング４の両端部の切除面４１からライトリング４内に導かれ、各傾斜面４２でライトリング４の内方に向かって反射さる。この反射光は、光拡散面であるライトリング４の上面４３あるいは下面で乱反射しながらライトリング４内を進行し、ライトリング４全体が発光素子３１，３２の発光色によって明るくなる。発光素子３１が発光すればライトリング４の上面４３全体が緑色に光り、発光素子３２が発光すればライトリング４の上面４３全体が赤色に光る。
【００２８】
ライトリング４の底面は、両端部からある程度の距離までは前述のように平坦底面４４になっているが、そこから遠ざかるにしたがってライトリング４の厚みが薄くなるように、緩やかな逆Ｖ字状を描く傾斜面４５になっている。発光素子３１，３２から遠ざかるにしたがって到達する光量が低下する。そこで、ライトリング４の底面を傾斜面４５とし、発光素子３１，３２から遠ざかるにしたがってライトリング４の厚みを薄くして光を集め、ライトリング４から放射される光量のばらつきをなくしている。
【００２９】
マイクロホンがオンのときは発光素子３１を点灯させてライトリング４を緑色に光らせ、音声信号出力がオフのときは発光素子３２を点灯させてライトリング４を赤色に光らせる。こうして、マイクロホンの動作状態を表示することができる。発光素子の数は任意である。発光素子が点灯しているときはマイクロホンがオン、発光素子が消灯しているときはマイクロホンオフというように、発光素子は最低１個あれば動作状態を表示することができる。
【００３０】
図１に示すように、前記導電リング９は、その一部が半径方向外側に向かって形成された突出部９１を有している。マイクロホンケース１のフランジ１１には突出部９１の下方においてスイッチ７が配置され、スイッチ７の操作ボタンが上記突出部９１の下面に近接している。導電リング９とスイッチ７は、導電リング９の突出部９１の移動によってスイッチ７が作動するように位置関係が設定されている。
【００３１】
スイッチ７が作動するたびに発光素子３１，３２が交互に切り替えられて発光色が赤色と緑色に切り替わり、ライトリング４から放射される光の色も発光素子の発光色と同じ色に切り替わる。あるいは、スイッチ７の作動によって発光素子が点灯と消灯に切り替わるようにしてもよい。要するに、スイッチ７の作動によってマイクロホンの出力信号がオン、オフすると、発光素子の動作が切り替わるように構成されている。
【００３２】
マイクロホンケース１のフランジ１１には、フランジ１１を外周側から覆うサイドカバー６が被せられている。サイドカバー６は、フランジ１１の外周に嵌る円筒形状の部分とこれに続く円錐形状の部分を有し、円錐形状の部分の上端内周縁はライトリング４の上端部外周に沿っている。サイドカバー６の上記上端内周縁と前カバー５の外周との間からライトリング４の上端部が露呈している。
【００３３】
サイドカバー６は、平面形状がＣ字状のライトリング４の前記切断部に進入してこの切断部を覆う補完部１６を一体に有している。サイドカバー６の補完部１６は、サイドカバー６の上記円錐形状の一部が内方に向かって突出して形成されており、周方向には円弧状で、上下面は平坦面になっている。上記補完部１６の下面に前記導電リング９の突出部９１の上面が当たり、導電性クッション材８の反発力による導電リング９および前カバー５の上方への移動を規制している。
【００３４】
バウンダリーマイクロホンの大半をなすマイクロホンケース１は、テーブルなどの天板に埋め込まれる。マイクロホンケース１のフランジ１１は緩衝材１２を介在させて上記天板上に載せられ、天板に固定される。上記天板上には前カバー５、サイドカバー６、ライトリング４が露呈する。前カバー５を通り抜けた音波がマイクロホンユニット２に入って電気音響変換される。ライトリング４の光る色を見ることにより、そのマイクロホンが動作中であるか否か、すなわち音声信号の出力動作中であるかまたは待機中であるかを判別することができる。マイクロホンケース１内には、マイクロホン回路を組み込んだ回路基板１４が固定されている。
【００３５】
以上の説明からわかるように、スイッチ７の切り替えは前カバー５の押圧操作で行い、スイッチ７の切り替えにより、マイクロホンユニット２で電気音響変換される音声信号の出力をオン、オフするようになっている。マイクロホンの前カバー５は一般的には金属メッシュからなり、従来、前カバー５をスイッチ操作部材として利用する発想はなかった。本発明の上記実施例によれば、金属メッシュからなる前カバー５をスイッチ操作部材として利用している。そこで、図２に破線で示すように、前カバー５の前面に押圧操作板１８を貼り付けておけば、前カバー５を直接操作することに対する抵抗感を軽減することができる。押圧操作板１８に例えば「Ｐｕｓｈ」というような文字を表記するとなおよい。
【００３６】
図１に示す態様は、前カバー５が押されない通常の状態を示す。この状態では、導電性クッション材８の反発力により導電リング９および前カバー５が押し上げられ、スイッチ７は非作動状態にある。
【００３７】
導電性クッション材８の反発力に抗して前カバー５を押し下げると、図３に示すように、前カバー５と実質一体の導電リング９の突出部９１がスイッチ７の操作ボタンを押し、スイッチ７を作動させる。回路基板１４に組み込まれているマイクロホン回路は、スイッチ７を作動させると、マイクロホンをオン状態に切り替えるとともにこの状態を維持し、マイクロホンユニット２で電気音響変換された音声信号を出力する。また、発光素子３１を発光させて、発光色を例えば緑色に切り替え、そのマイクロホンがオンであることを表示する。上記スイッチ７をもう１度作動させると、上記マイクロホン回路はマイクロホンをオフ状態に切り替え、音声信号の出力を遮断する。また、発光素子３２を発光させて、発光色を赤色に切り替え、そのマイクロホンがオフであることを表示する。
【００３８】
以上のように、前カバー５を押してスイッチ７を作動させるごとにマイクロホンの音声出力がオンとオフに交互に切り替わる。音声出力のオン、オフに対応して発光素子３１，３２が交互に点灯し、発光素子３１または発光素子３２の発光色と同じ色の光がライトリング４から放射される。ライトリング４の発光色によってマイクロホンの作動、非作動を判別することができる。
【００３９】
以上説明した実施例によれば、マイクロホンが備えている前カバー５に、音声出力をオン、オフするスイッチ７の操作部材を兼ねさせたため、スイッチ操作部材を新たに設ける必要がなく、かつ、マイクロホンの大型化を回避することができる。
【００４０】
前カバー５、導電性クッション材８、マイクロホンケース１は導電性素材で製作され、これらの部材は電気的に導通し、マイクロホンユニット２の周囲を囲んでいる。したがって、前カバー５、導電性クッション材８、マイクロホンケース１は、マイクロホンユニット２を電磁シールドし、電磁波に対するシールド効果を高めている。本実施例に係るマイクロホンの近傍で携帯電話などが使用されても、電磁波を要因とするノイズが音声信号に混入することを防止することができる。
【００４１】
図示の実施例では、マイクロホンケース１のフランジ１１に回路基板３を配置し、この回路基板３に、導電性クッション材８、発光素子３１，３２、さらにはスイッチ７が配置されている。このような構成にすることにより、上記各部品の電気的接続を簡単化することができる。
【００４２】
本発明に係るマイクロホンの特徴は、前カバーをマイクロホンケースに対し相対移動可能とし、前カバーにスイッチ操作部材を兼ねさせた構成になっていることである。したがって、上記の特徴を備えていれば、図示の実施例のような埋め込み型バウンダリーマイクロホンに限らず、テーブル上に載置して使用する形式のバウンダリーマイクロホンにも適用可能である。また、バウンダリーマイクロホンに限らず、手持ち型マイクロホンを含むあらゆる形式のマイクロホンに適用可能である。そのほか、特許請求の範囲の各請求項に記載した技術思想を逸脱しない範囲で任意に設計変更可能である。
【００４３】
図示の実施例におけるスイッチ７は、押すことによって切り替わり、押し込みを解除することによって復帰するプッシュスイッチである。このプッシュスイッチを押すことによって切り替わった状態を回路的に保持し、もう１回押すと上記保持が解除されるように構成した自己保持回路が設けられている。あるいは、１回押すと切り替わってその状態が維持され、もう１回押すと復帰してその状態が維持される機構を持ったプッシュ・プッシュスイッチであってもよい。この場合、上記自己保持回路は不要である。
【符号の説明】
【００４４】
１    マイクロホンケース
２    マイクロホンユニット
３    回路基板
４    ライトリング
５    前カバー
６    サイドカバー
７    スイッチ
８    導電性クッション材
９    導電リング
１１    フランジ
１２    緩衝材
１５    コネクタ
１８    押圧操作板
３１    発光素子
３２    発光素子
４１    傾斜面
４２    発光面
４３    緩傾斜面
【図１】
2014138288.tif 000003
【図２】
2014138288.tif 000004
【図３】
2014138288.tif 000005
【図４】
2014138288.tif 000006
【図５】
2014138288.tif 000007
【図６】
2014138288.tif 000008
【図７】
2014138288.tif 000009